(57)【要約】【課題】冷房手段の運転時に、トイレ装置の総合消費電力を押さえ、夏場において、冷房手段の運転開始時の消費電力の増大によるＤＣ電源回路の出力変動による不安定動作をなくす。【解決手段】トイレ室内を冷房する圧縮機２６と凝縮器２７と減圧器２８と蒸発器２９と送風機３０とを有する冷凍サイクルによる冷房手段１８と、便蓋１５と便座１４の少なくとも一方の電動開閉手段２０を備え、前記冷房手段１８の運転開始と前記電動開閉手段２０の運転開始が重なった場合、まず前記冷房手段の運転を開始し、前記圧縮機の起動状態が終了後に、前記電動開閉手段２０の運転を開始する。【選択図】図５
2006280965.tif 000002
【特許請求の範囲】
【請求項１】
トイレ室内を冷房する圧縮機と凝縮器と減圧器と蒸発器と送風機とを有する冷凍サイクルによる冷房手段と、便蓋と便座の少なくとも一方の電動開閉手段を備え、前記冷房手段の運転開始と前記電動開閉手段の運転開始が重なった場合、まず前記冷房手段の運転を開始し、前記圧縮機の起動状態が終了後に、前記電動開閉手段の運転を開始するトイレ装置。
【請求項２】
湯沸ヒータを有した局部温水洗浄手段を備え、前記湯沸ヒータは冷房手段運転中の消費電力を最大消費電力より小さくした請求項１記載のトイレ装置。
【請求項３】
局部温水洗浄手段は複数のヒータを有し、冷房手段運転中は前記複数のヒータのうちのすくなくとも１つを通電オフにした請求項２記載のトイレ装置。
【発明の詳細な説明】
【技術分野】
【０００１】
本発明は、トイレ室内を冷房する冷房手段を備えた、トイレ装置に関するものである。
【背景技術】
【０００２】
従来、この種のトイレ装置としては、例えば、図７に示すようなものがあった。図７は従来のトイレ装置の給水系および電気系の系統図を示すものであり、図８と図９は同トイレ装置において局部温水洗浄手段運転中に冷房手段を運転した場合のそれらの運転制御のタイミング図を示す。
【０００３】
図７において、１は冷房手段、２は局部温水洗浄手段、３は湯沸ヒータであり、局部温水洗浄手段２の運転時に、冷房手段１を運転した時には、図８に示すように湯沸ヒータ３への通電を遮断するか、もしくは、図９に示すように湯沸ヒータ３の温度を低く設定するように制御する制御手段４が配設されている。こうすることによって、ＡＣ１００Ｖ−１６０Ｗの冷房手段１とＡＣ１００Ｖ−１１００Ｗの湯沸ヒータ３が同時に通電されるのを防ぎ、制御手段４のＡＣ電源回路のスペースおよびコストを抑えている。
【特許文献１】特開２０００−７９０７７号公報
【発明の開示】
【発明が解決しようとする課題】
【０００４】
しかしながら、前記従来の構成では、冷房手段の運転開始と電動開閉手段の運転が重なった場合、ＡＣ電源の消費電力が急に大きくなり、ＤＣ電源回路の出力変動が生じ電動開閉手段の動作が不安定になることがあった。
【０００５】
本発明は、前記従来の課題を解決するもので、冷房手段の運転開始時の消費電力の増大によるＤＣ電源回路の出力変動による不安定動作をなくすことを目的とする。
【課題を解決するための手段】
【０００６】
前記従来の課題を解決するために、本発明のトワレ装置は、トイレ室内を冷房する圧縮機と凝縮器と減圧器と蒸発器と送風機とを有する冷凍サイクルによる冷房手段と、便蓋と便座の少なくとも一方の電動開閉手段を備え、前記冷房手段の運転開始と前記電動開閉手段の運転開始が重なった場合、まず前記冷房手段の運転を開始し、前記圧縮機の起動状態が終了後に、前記電動開閉手段の運転を開始することにより、冷房手段の運転開始と電動開閉手段の運転開始が重なった時に、電動開閉手段を運転しないことで、圧縮機の起動時に大電力を必要としてＡＣ電源の消費電力が急に大きくなり、ＤＣ電源回路の出力変動が生じ電動開閉手段の動作が不安定になることを阻止できる。
【発明の効果】
【０００７】
冷房手段の運転開始時の圧縮機の起動時に大電力を必要としてＡＣ電源の消費電力が急に大きくなり、ＤＣ電源回路の出力変動が生じることによる不安定な電動開閉手段の動作を阻止できる。
【発明を実施するための最良の形態】
【０００８】
第１の発明は、トイレ室内を冷房する圧縮機と凝縮器と減圧器と蒸発器と送風機とを有する冷凍サイクルによる冷房手段と、便蓋と便座の少なくとも一方の電動開閉手段を備え、前記冷房手段の運転開始と前記電動開閉手段の運転開始が重なった場合、まず前記冷房手段の運転を開始し、前記圧縮機の起動状態が終了後に、前記電動開閉手段の運転を開始することにより、冷房手段の運転開始と電動開閉手段の運転開始が重なった時に、電動開
閉手段を運転しないことで、圧縮機の起動時に大電力を必要としてＡＣ電源の消費電力が急に大きくなり、ＤＣ電源回路の出力変動が生じ電動開閉手段の動作が不安定になることを阻止できる。なお、圧縮機の起動時に大電力を必要とするのは僅かの時間であり、その後に電動開閉手段が実際に稼動しても不快感は感じないで済む。
【０００９】
第２の発明は、第１の発明において、湯沸ヒータを有した局部温水洗浄手段を備え、前記湯沸ヒータは冷房手段運転中の消費電力を最大消費電力より小さくしたものである。これにより、冷房手段運転中の消費電力量を抑えることができる。
【００１０】
第３の発明は、第２の発明において、局部温水洗浄手段が複数のヒータを有して、冷房運転中は複数のヒータのうちのすくなくとも一つを通電オフとしたものである。これにより、消費電力を抑えて、かつ使用温度に問題がない。
【００１１】
（実施の形態１）
以下、本発明の実施の形態１について、図面を参照しながら説明する。
【００１２】
図１は、本発明の実施の形態１におけるトイレ装置を便器にセットした状態での斜視図を示すものであり、図２は同トイレ装置のケースを取外した状態での斜視図を示すものであり、図３は同トイレ装置の正面縦断面図を示すものであり、図４は同トイレ装置の給水系および電気系の系統図を示すものであり、図５は同トイレ装置において冬場に局部温水洗浄手段運転中に冷房手段を運転した場合のそれらの運転制御のタイミング図であり、図６は同トイレ装置において夏場に局部温水洗浄手段運転中に冷房手段を運転した場合のそれらの運転制御のタイミング図である。
【００１３】
１１はトイレ装置で、便器１２と、その上面後部に配設された本体部１３と、本体部１３の前端部に便器１２上に設置された状態と上方に開いた状態との間で回転可能に装着された便座１４および便蓋１５にて構成されている。
【００１４】
本体部１３は、便器１２上に固定設置されるベース板１６上に、便器１２を洗浄するための水を貯める水タンク１７と、トイレ室内を冷房する冷房手段１８と、局部温水洗浄手段１９と、便座１４と便蓋１５の電動開閉手段２０（ＤＣ１２Ｖ−１０Ｗ）と、トイレ室内を暖房する部屋暖房手段２１と、室温検出手段２２と、これらの電気系統を制御する制御手段２３とをケース２４内に収納して構成されている。
【００１５】
便座１４は便座ヒータ１４ａ（ＡＣ１００Ｖ−５５Ｗ）を有する便座暖房手段２５で表面を暖房され、ケース２４は、ケース本体２４ａとその上端開口部を覆うケース蓋２４ｂにて構成されており、ケース蓋２４ｂは、必要に応じて手洗い手段（図示せず）を設けた構成とされる。
【００１６】
冷房手段１８は、圧縮機２６（ＡＣ１００Ｖ−１６０Ｗ）と凝縮器２７と減圧器２８と蒸発器２９からなる冷凍サイクルと、蒸発器２９で冷却された空気を送風する送風機３０（ＤＣ１２Ｖ−１０Ｗ）とを備えており、本体部１３を便器１２に設置したままで着脱できるユニットとして構成されている。３１は冷凍サイクルを接続する冷媒配管である。
【００１７】
凝縮器２７は、水タンク１７内に収容配置されて便器先浄水と熱交換する蛇行配管部材にて構成され、減圧器２８は細管を巻回して構成されている。蒸発器２９は、周壁内に配設されたフィン群とこのフィン群を貫通する蛇行配管にて構成され、蛇行配管に冷媒を流しながらフィン群の隙間に空気を通すことにより、空気を熱交換して冷却するように構成されている。送風機３０は軸方向から吸込んで、径方向に吹出すシロッコファンにて構成されている。蒸発器２９と送風機３０は比較的小さな幅の通風空間を介して並列配置して
連結され、かつ蒸発器２９が水タンク１７の一側部に送風機３０を介在させた状態で配置され、蒸発器２９で熱交換された空気を送風機３０にてケース蓋２４ｂの前面両側部に配設された吹出口３２から便座１４上に着座した人の首筋に向けて冷風を吹付けるように構成されている。
【００１８】
局部温水洗浄手段１９は、第１の湯沸ヒータ３３ａ（ＡＣ１００Ｖ−５５０Ｗ）と第２の湯沸ヒータ３３ｂ（ＡＣ１００Ｖ−５５０Ｗ）とからなる熱交換水路３４と、水道からの入水をオン・オフする止水電磁弁３５（ＤＣ１２Ｖ−１Ｗ）と、加圧ポンプモータ３６（ＤＣ１２Ｖ−５Ｗ）と、お尻を洗浄するためのお尻ノズル３７ａと女性の局部を洗浄するためのビデノズル３７ｂと、お尻ノズル３７ａとビデノズル３７ｂへの水路切換と流量調節のための切換流調弁３８と、切換流調弁３８を駆動する切換流調モータ３９（ＤＣ１２Ｖ−１Ｗ）にて構成されている。
【００１９】
部屋暖房手段２１は、部屋暖房ヒータ４０（ＡＣ１００Ｖ−２５０Ｗ）と部屋暖房送風機４１（ＤＣ１２Ｖ−８Ｗ）にて構成されている。
【００２０】
制御手段２３は、冷房手段１８、局部温水洗浄手段１９、電動開閉手段２０、部屋暖房手段２１、便座暖房手段２５を作動制御するとともに、ＤＣ電源回路とＡＣ電源回路を有している。
【００２１】
以上のように構成されたトイレ装置１１において、局部温水洗浄手段１９の温度制御は、入水温度や設定出湯温度に応じて、第１の湯沸ヒータ３３ａを通電率制御し、第２の湯沸ヒータ３３ｂは通電オンまたは通電オフの何れかの状態にする。そして、冷房手段１８運転中は、入水温度や設定出湯温度にかかわらず、第２の湯沸ヒータ３３ｂを通電オフ状態にする。従って、図５に示すように、入水温度の低い冬場においては、第２の湯沸ヒータ３３ｂがオフ状態になり、第１の湯沸ヒータ３３ａがフル通電状態になっても電気容量不足で設定出湯温度に達しないが、トイレ装置１１の総合消費電力は、圧縮機２６（ＡＣ１００Ｖ−１６０Ｗ）と第１の湯沸ヒータ３３ａ（ＡＣ１００Ｖ−５５０Ｗ）の合計の７１０Ｗとなる。一方、図６に示すように、入水温度の高い夏場においては、第２の湯沸ヒータ３３ｂは、元々オフ状態のため出湯温度への影響はなく、トイレ装置１１の総合消費電力は、圧縮機２６（ＡＣ１００Ｖ−１６０Ｗ）と第１の湯沸ヒータ３３ａ（ＡＣ１００Ｖ−５５０Ｗ）の合計の７１０Ｗとなる。したがって、通常は、冷房手段１８の運転は入水温度が高く第２の湯沸ヒータ３３ｂがオフ状態の夏場のため、局部温水洗浄手段１９の出湯温度を所定の温度に保つことができ、実使用上問題はなく、冷房手段１８の運転時に、局部温水洗浄手段１９が運転された時のトイレ装置１１の総合消費電力を、冬場の第１の湯沸ヒータ３３ａと第２の湯沸ヒータ３３ｂの同時通電時の消費電力の１１００Ｗ以下に、押さえることができ、制御手段２３のＡＣ電源回路のスペースおよびコストを抑制できる。
【００２２】
また、本実施の形態１では、冷房手段１８の運転開始と電動開閉手段２０の運転開始が重なった場合、まず冷房手段１８の運転を開始し、圧縮機２６の起動状態が終了後に、電動開閉手段２０の運転を開始する。これによって、圧縮機２６の起動時に大電力を必要としてＡＣ電源の消費電力が急に大きくなり、ＤＣ電源回路の出力変動が生じ電動開閉手段２０の動作が不安定になることを防止できる。なお、圧縮機２６の起動時に大電力を必要とするのは僅かの時間であり、その後に電動開閉手段２０が実際に稼動しても不快感は感じないで済む。
【００２３】
また、本実施の形態１では、高基準温度（例えば２５℃）以上の時には、冷房手段１８だけを運転可能とし、高基準温度以下、低基準温度（例えば１５℃）以上の時には、便座暖房手段２５だけを運転可能とし、低基準温度以下の時には、便座暖房手段２５と部屋暖
房手段２１の両方を運転可能とすることにより、トイレ室温に応じて冷房手段１８と便座暖房手段２５と部屋暖房手段２１を使い分けることによって、トイレ装置の総合消費電力を押さえ、制御手段２３のＡＣ電源回路のスペースおよびコストを抑制できる。
【００２４】
以上のように、本実施の形態１では冷房手段の運転時に、トイレ装置の総合消費電力を押さえ、制御手段のＡＣ電源回路のスペースおよびコストを抑制できるとともに、夏場において、局部温水洗浄手段の出湯温度を所定の温度に保つことができる。
【図面の簡単な説明】
【００２５】
【図１】本発明の実施の形態１のトイレ装置を便器にセットした状態での斜視図
【図２】本発明の実施の形態１におけるトイレ装置のケースを取外した状態での斜視図
【図３】本発明の実施の形態１におけるトイレ装置の正面縦断面図
【図４】本発明の実施の形態１におけるトイレ装置の給水系および電気系の系統図
【図５】本発明の実施の形態１におけるトイレ装置において、冬場に局部温水洗浄手段運転中に冷房手段を運転した場合のそれらの運転制御のタイミング図
【図６】本発明の実施の形態１におけるトイレ装置において、夏場に局部温水洗浄手段運転中に冷房手段を運転した場合のそれらの運転制御のタイミング図
【図７】従来のトイレ装置の給水系および電気系の系統図
【図８】従来のトイレ装置において、局部温水洗浄手段運転中に冷房手段を運転した場合のそれらの運転制御のタイミング図
【図９】従来のトイレ装置において、局部温水洗浄手段運転中に冷房手段を運転した場合のそれらの運転制御のタイミング図
【符号の説明】
【００２６】
１１  トイレ装置
１４  便座
１５  便蓋
１８  冷房手段
１９  局部温水洗浄手段
２０  電動開閉手段
２１  部屋暖房手段
２２  室温検出手段
２５  便座暖房手段
２６  圧縮機
２７  凝縮器
２８  減圧器
２９  蒸発器
３０  送風機
３３ａ  第１の湯沸ヒータ（湯沸ヒータ）
３３ｂ  第２の湯沸ヒータ（湯沸ヒータ）
【図１】
2006280965.tif 000003
【図２】
2006280965.tif 000004
【図３】
2006280965.tif 000005
【図４】
2006280965.tif 000006
【図５】
2006280965.tif 000007
【図６】
2006280965.tif 000008
【図７】
2006280965.tif 000009
【図８】
2006280965.tif 000010
【図９】
2006280965.tif 000011